(57)【要約】      （修正有）【課題】立設する鋼製型枠の組み合わせを考える作業の煩わしさを軽減し、足りない半端な寸法に幅広く対処することができ、しかも安価で持ち運びに便利な鋼製型枠の補助治具を用いたコンクリート打設面を補助的に補うための鋼製型枠の連結構造を提供する。【解決手段】鋼製型枠のジョイント金具によって連結可能な連結孔を有する連結面と、前記連結面の長手方向の一辺に沿って直角に設けられたコンクリート接触面２Ａと、前記コンクリート接触面の裏側において重合される平板１０を前記コンクリート接触面の後方側から押圧固定するためのネジ５を複数螺合した固定部材と、からなる第一補助治具８と、前記鋼製型枠のジョイント金具によって連結可能な連結孔を有する連結面と、前記連結面の長手方向の一辺に沿って直角に設けられたコンクリート接触面と、からなる第二補助治具とを適宜組み合わせる鋼製型枠の連結構造。【選択図】図３ａ
0003107359.tif 000002
【実用新案登録請求の範囲】
【請求項１】
鋼製型枠と連結されコンクリート打設面を補助的に補う鋼製型枠の連結構造において、
前記鋼製型枠のジョイント金具によって連結可能な連結孔を有する連結面と、
前記連結面の長手方向の一辺に沿って直角に設けられたコンクリート接触面と、
前記コンクリート接触面の裏側において重合される平板を前記コンクリート接触面の後方側から押圧固定するためのネジを複数螺合した固定部材と、からなる第一補助治具と、
前記鋼製型枠のジョイント金具によって連結可能な連結孔を有する連結面と、
前記連結面の長手方向の一辺に沿って直角に設けられたコンクリート接触面と、からなる第二補助治具と、
を適宜組み合わせることによって、前記鋼製型枠を用いて形成するコンクリート打設面を補助的に補うことを特徴とする鋼製型枠の連結構造。
【考案の詳細な説明】
【技術分野】
【０００１】
この考案は、構築される住宅の基礎形状に合わせて鋼製型枠を立設していく際に生じる足りない半端な寸法を補助的に補い、コンクリート打設面を形成する鋼製型枠の連結構造に関するものである。
【背景技術】
【０００２】
従来住宅の基礎工事を行う際、構築される基礎形状に合わせて鋼製型枠のコンクリート打設面を対向するよう立設し、前記鋼製型枠間にコンクリートを流し込んで基礎を構築していく方法が知られている。
【０００３】
この鋼製型枠の寸法は、従来から建築分野で使用されている尺寸法に合わせて形成されており、例えば鋼製型枠上辺の長さは１８２０ミリ、９１０ミリ、４５５ミリ等の規格で形成されているため、基礎形状に合わせて使用する鋼製型枠の組み合わせを容易に考えることができた。
【０００４】
しかしながら近年では、住宅メーカーや住宅工法によっては尺寸法ではなくメーターモジュールを用いた設計になったり、基礎形状も多種多様となったため、従来１２０ミリが標準であった基礎幅も１３５ミリ、１５０ミリ、１８０ミリ等様々になってきた。このため、既存の鋼製型枠を組み合わせて使用した場合に足りない半端な寸法が生じていた。
【０００５】
これに対処する方法としては、二枚の鋼製型枠を係合させたスライドパネルと呼ばれる種類の鋼製型枠を使用し、足りない寸法分だけスライドパネルの一方を引き出して補うことによりコンクリート打設面を形成していた。
【考案の開示】
【考案が解決しようとする課題】
【０００６】
しかし、これらには次のような欠点があった。
（イ）     
高価なスライドパネルを複数保有するにはコストがかかる。
（ロ）    
スライドパネルは重量が重いため、施工現場への搬入・搬出に際しては作業者への大きな負担となる。
（ハ）   
多種多様となった基礎施工図から基礎形状の寸法を読み取り、尺寸法で作られた鋼製型枠の組み合わせを考えることは大変煩わしく頭を悩ませる作業である。
本考案は上記の問題点を解決するため、構築される基礎形状に合わせて使用する鋼製型枠の組み合わせを考える作業の煩わしさを軽減し、足りない半端な寸法に幅広く対処することができ、しかも安価で持ち運びに便利な鋼製型枠の補助治具を用い、コンクリート打設面を補助的に補うことを目的とした鋼製型枠の連結構造を提供することを目的としている。
【課題を解決するための手段】
【０００７】
この考案に係るコンクリート打設面を補助的に補う鋼製型枠の連結構造は、前記目的を達成するために次の構成からからなる。
すなわち鋼製型枠と連結されコンクリート打設面を補助的に補う鋼製型枠の連結構造において、前記鋼製型枠のジョイント金具によって連結可能な連結孔を有する連結面と、前記連結面の長手方向の一辺に沿って直角に設けられたコンクリート接触面と、前記コンクリート接触面の裏側において重合される平板を前記コンクリート接触面の後方側から押圧固定するためのネジを複数螺合した固定部材と、からなる第一補助治具を設ける。さらに、前記鋼製型枠のジョイント金具によって連結可能な連結孔を有する連結面と、前記連結面の長手方向の一辺に沿って直角に設けられたコンクリート接触面と、からなる第二補助治具を設ける。そして、前記第一補助治具と前記第二補助治具を適宜組み合わせることによって、前記鋼製型枠を用いて形成するコンクリート打設面を補助的に補うことを特徴とする鋼製型枠の連結構造とする。
【考案の効果】
【０００８】
これにより、従来のスライドパネルよりも安価で重量の軽い補助治具を使ってコンクリート打設面を形成できるので、設備費のコストと施工現場への搬入・搬出の負担を軽減できる。
【０００９】
また本考案の第一補助治具と第二補助治具は、それらの組み合わせによって足りない寸法に幅広く対処できる。これにより、基礎施工図面から基礎形状の各寸法を読み取り大まかに既存の鋼製型枠を当てはめておくだけでよいので頭を悩ませる必要がなくなり、構築される基礎形状に合わせて使用する鋼製型枠の組み合わせを考える作業の煩わしさを軽減することができる。
【考案を実施するための最良の形態】
【００１０】
以下、本考案に係るコンクリート打設面を補助的に補う鋼製型枠の連結構造の実施の形態につき、図面に基づいて説明する。
【実施例１】
【００１１】
図１は本考案における第一補助治具（８）を示す斜視図、図２は本考案における第二補助治具（９）を示す斜視図である。第一・第二の補助治具を構成するそれぞれの連結面（１Ａ・１Ｂ）は、既存の鋼製型枠（１１）を連結する際に用いられるジョイント金具（１２）によって連結されるため、鋼製型枠（１１）の側面とほぼ同じ厚みと大きさを有する鋼板を用いるのが望ましい。また、連結孔（３Ａ・３Ｂ）の大きさと位置は鋼製型枠（１１）の側面に設けられたジョイント金具（１２）を挿通する孔とほぼ一致することが望ましい。
【００１２】
コンクリート接触面（２Ａ・２Ｂ）は、コンクリート打設時の圧力に耐えられる程度の鋼板を用いることが望ましく、連結面（１Ａ・１Ｂ）の長手方向の一辺に沿って直角状に設けられる。
【００１３】
図１に示されるように、第一補助治具（８）に設けられた固定部材（４）は、例えば連結面（１Ａ）およびコンクリート接触面（２Ａ）の長手方向とほぼ同じ長さを有するＬ型鋼の一方の面にネジ孔（６）を数箇所設け固定ネジ（５）を螺合する。このとき、前記Ｌ型鋼の短辺が連結面（１Ａ）の短辺の３／５程度の長さを有する等辺Ｌ型鋼を用いるのが望ましい。
【００１４】
また、前記ネジ孔（６）が設けられたＬ型鋼の面はコンクリート接触面（２Ａ）との間に空間を持って平行に設けられることが望ましく、固定板（７ａ・７ｂ）を架設して固定部材（４）と連結面（１Ａ）が定着される。
【００１５】
これらの前記第一補助治具（８）と前記第二補助治具（９）とを用いて補助的にコンクリート打設面を形成する場合は、鋼製型枠を立設していく際に生じた足りない半端な寸法に応じて第一補助治具（８）と第二補助治具（９）とを組み合わせて用いる。
【００１６】
次に第一補助治具（８）と第二補助治具（９）とを組み合わせて形成する鋼製型枠の連結構造について説明する。図３は本考案の実施例を示した平面図である。
【００１７】
例えば、足りない寸法が第一補助治具（８）におけるコンクリート打設面の長さＬ１と第二補助治具（９）におけるコンクリート打設面の長さＬ２を足した長さよりも長い場合には、一対の第一補助治具（８）を用いる。図３ａに示すように、一対の第一補助治具（８）をそれぞれ足りない寸法の両側にある鋼製型枠にジョイント金具（１２）で連結し、足りない寸法と同じ長さを有する平板（１０）をコンクリート接触面（２Ａ）の裏側に差し込み固定ネジで（５）で押圧固定する。このとき使用する平板（１０）は、例えば合板等コンクリート打設時の圧力によって変形しない材質のものを用いることが望ましい。
【００１８】
次に足りない寸法がＬ１より長くＬ１＋Ｌ２よりも短い場合は第一補助治具（８）と第二補助治具（９）を用い、それぞれを足りない寸法の両側にある鋼製型枠（１１）にジョイント金具（１２）で連結し、コンクリート接触面（２Ａ）の裏側に重合されたコンクリート接触面（２Ｂ）を固定ネジ（５）で押圧固定する。（図３ｂ参照）
【００１９】
また足りない寸法がＬ２よりも短い場合には第二補助治具（９）を用い、コンクリート接触面（２Ｂ）を足りない寸法の一方にある鋼製型枠（１１）のコンクリート打設面に当接させながら足りない寸法の他方の鋼製型枠（１１）に第二補助治具（９）をにジョイント金具（１２）で連結する。（図３ｃ参照）
【００２０】
以上のように第一補助治具（８）と第二補助治具（９）を適宜組み合わせて用いることにより、足りない半端な寸法に対して幅広く対処できる。なお、第一補助治具（８）と第二補助治具（９）の材質は、コンクリートの重さや充填時の振動によって変形しない強さとアルカリ性に耐えられる化学抵抗性を有するものであれば上記のように鋼板に限定されるものではない。
【図面の簡単な説明】
【００２１】
【図１】本考案における第一補助治具を示す斜視図
【図２】本考案における第二補助治具を示す斜視図
【図３ａ】本考案における第一補助治具を用いた実施例を示す平面図
【図３ｂ】本考案における第一補助治具と第二補助治具を用いた実施例を示す平面図
【図３ｃ】本考案における第二補助治具を用いた実施例を示す平面図
【符号の説明】
【００２２】
１Ａ・１Ｂ    連結面
２Ａ・２Ｂ    コンクリート接触面
３Ａ・ＡＢ    連結孔
４            固定部材
５            固定ネジ
６            ネジ孔
７ａ・７ｂ    固定版
８            第一補助治具
９            第二補助治具
１０          平板
１１          鋼製型枠
１２          ジョイント金具
【図１】
0003107359.tif 000003
【図２】
0003107359.tif 000004
【図３ａ】
0003107359.tif 000005
【図３ｂ】
0003107359.tif 000006
【図３ｃ】
0003107359.tif 000007